【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
光源と、
書き込まれた画像に応じて前記光源からの光を変調する空間光変調装置と、
前記空間光変調装置に入射する前記光または前記空間光変調装置から射出される前記光の拡散度を調節する光拡散装置と、
前記光源が点灯し始める場合に前記光拡散装置が前記光を拡散するように前記光拡散装置を制御する光拡散コントローラーと、
を備えたプロジェクター。
【請求項２】
請求項１記載のプロジェクターであって、
受電端子をさらに備え、
前記光源は、前記受電端子に電力が供給され始めた場合に点灯し始める、
プロジェクター。
【請求項３】
請求項１または２に記載のプロジェクターであって、
前記光源が点灯し始める場合に前記空間光変調装置に照明投写用の画像を書き込む表示コントローラーをさらに備えたプロジェクター。
【請求項４】
請求項１〜３のいずれか一項に記載のプロジェクターであって、
記憶部をさらに備え、
前記記憶部に照明投写を示す情報が格納されているとき、前記光拡散コントローラーは、前記光源が点灯し始める場合に前記光拡散装置が前記光を拡散するように前記光拡散装置を制御し、
前記記憶部に画像投写を示す情報が格納されているとき、前記光拡散コントローラーは、前記光源が点灯し始める場合に前記光拡散装置が前記光を実質的に拡散しないように前記光拡散装置を制御する、
プロジェクター。
【請求項５】
請求項１〜４のいずれか一項に記載のプロジェクターであって、
画像投写コマンドを受信する受信部をさらに備え、
前記受信部による前記画像投写コマンドの受信に応じて、前記光拡散装置が前記光を実質的に拡散しないように前記光拡散コントローラーは前記光拡散装置を制御する、
プロジェクター。
【請求項６】
請求項５記載のプロジェクターであって、
前記受信部が無線または有線により外部ネットワークと通信可能であり、
前記受信部は前記外部ネットワークから前記画像投写コマンドを受信する、
プロジェクター。
【請求項７】
光源と、
書き込まれた画像に応じて前記光源からの光を変調する空間光変調装置と、
前記空間光変調装置に入射する前記光または前記空間光変調装置から射出される前記光の拡散度を調節する光拡散装置と、
前記光源が点灯し始める場合に前記光拡散装置が前記光を実質的に拡散しないように前記光拡散装置を制御する光拡散コントローラーと、
を備えたプロジェクター。
【請求項８】
請求項７記載のプロジェクターであって、
受電端子をさらに備え、
前記光源は、前記受電端子に電力が供給され始めた場合に点灯し始める、
プロジェクター。
【請求項９】
請求項７または８に記載のプロジェクターであって、
前記光源が点灯し始める場合に前記空間光変調装置に画像投写用の画像を書き込む表示コントローラーをさらに備えたプロジェクター。
【請求項１０】
請求項７〜９のいずれか一項に記載のプロジェクターであって、
記憶部をさらに備え、
前記記憶部に画像投写を示す情報が格納されているとき、前記光拡散コントローラーは、前記光源が点灯し始める場合に前記光拡散装置が前記光を実質的に拡散しないように前記光拡散装置を制御し、
前記記憶部に照明投写を示す情報が格納されているとき、前記光拡散コントローラーは、前記光源が点灯し始める場合に前記光拡散装置が前記光を拡散するように前記光拡散装置を制御する、
プロジェクター。
【請求項１１】
請求項７〜１０のいずれか一項に記載のプロジェクターであって、
照明投写コマンドを受信する受信部をさらに備え、
前記受信部による前記照明投写コマンドの受信に応じて、前記光拡散装置が前記光を拡散するように前記光拡散コントローラーは前記光拡散装置を制御する、
プロジェクター。
【請求項１２】
請求項１１記載のプロジェクターであって、
前記受信部が無線または有線により外部ネットワークと通信可能であり、
前記受信部は前記外部ネットワークから前記照明投写コマンドを受信する、
プロジェクター。
【請求項１３】
光源と、
書き込まれた画像に応じて前記光源からの光を変調する空間光変調装置と、
前記空間光変調装置に入射する前記光または前記空間光変調装置から射出される前記光の拡散度を調節する光拡散装置と、
前記光源が点灯し始める場合に前記光拡散装置が前記光を実質的に拡散しないように前記光拡散装置を制御する光拡散コントローラーと、
前記光源が点灯し始める場合に照明投写とするか画像投写とするかを選択させるＵＩ画像を前記空間光変調装置に書き込む表示コントローラーと、
を備え、
前記照明投写が選択された場合には前記光拡散装置が前記光を拡散し、前記画像投写が選択された場合には前記光拡散装置が前記光を実質的に拡散しないように前記光拡散コントローラーは前記光拡散装置を制御する、
プロジェクター。
【請求項１４】
請求項１３記載のプロジェクターであって、
前記ＵＩ画像で前記画像投写が選択された場合に、前記光拡散コントローラーは、前記光拡散装置が前記光を実質的に拡散しないように前記光拡散装置を制御し、
前記ＵＩ画像で前記照明投写が選択された場合に、前記光拡散コントローラーは、前記光拡散装置が前記光を拡散するように前記光拡散装置を制御する、
プロジェクター。
【請求項１５】
請求項１〜１４のいずれか一項に記載のプロジェクターであって、
前記光拡散装置はＰＤＬＣ装置を含む、
プロジェクター。
【請求項１６】
請求項１〜１４のいずれか一項に記載のプロジェクターであって、
前記光拡散装置はリバースモードＰＤＬＣ装置を含む、
プロジェクター。
【請求項１７】
請求項１〜１６のいずれか一項に記載のプロジェクターであって、
前記光拡散装置はフォーカス調整レンズを含む、
プロジェクター。
【請求項１８】
光源と、
書き込まれた画像に応じて前記光源からの光を変調する空間光変調装置と、
前記空間光変調装置に入射する前記光または前記空間光変調装置から射出される前記光の拡散度を調節する光拡散装置と、
を備えたプロジェクターの制御方法であって、
前記光源を点灯し始めるステップと、
前記光源を点灯し始める場合に前記光拡散装置が前記光を拡散するように前記光拡散装置を制御するステップと、
を包含したプロジェクターの制御方法。
【請求項１９】
光源と、
書き込まれた画像に応じて前記光源からの光を変調する空間光変調装置と、
前記空間光変調装置に入射する前記光または前記空間光変調装置から射出される前記光の拡散度を調節する光拡散装置と、
を備えたプロジェクターの制御方法であって、
前記光源を点灯し始めるステップと、
前記光源を点灯し始める場合に前記光拡散装置が前記光を実質的に拡散しないように前記光拡散装置を制御するステップと、
を包含したプロジェクターの制御方法。
【請求項２０】
光源と、
書き込まれた画像に応じて前記光源からの光を変調する空間光変調装置と、
前記空間光変調装置に入射する前記光または前記空間光変調装置から射出される前記光の拡散度を調節する光拡散装置と、
を備えたプロジェクターの制御方法であって、
前記光源を点灯し始めるステップと、
前記光源を点灯し始める場合に前記光拡散装置が前記光を実質的に拡散しないように前記光拡散装置を制御するステップと、
前記光源を点灯し始める場合に照明投写とするか画像投写とするかを選択させるＵＩ画像を前記空間光変調装置に書込むステップと、
前記照明投写が選択された場合には前記光を拡散するように前記光拡散装置を制御するステップと、
前記画像投写が選択された場合には前記光を実質的に拡散しないように前記光拡散装置を制御するステップと、
を包含したプロジェクターの制御方法。
【請求項２１】
光源と、
書き込まれた画像に応じて前記光源からの光を変調する空間光変調装置と、
前記空間光変調装置に入射する前記光または前記空間光変調装置から射出される前記光の拡散度を調節する光拡散装置と、
照明投写を示す情報または画像投写を示す情報を記憶する記憶部と、
前記記憶部に前記照明投写を示す情報が記憶されている場合には、前記光拡散装置が前記光を拡散するように前記光拡散装置を制御し、前記記憶部に前記画像投写を示す情報が記憶されている場合には、前記光拡散装置が前記光を実質的に拡散しないように前記光拡散装置を制御する光拡散コントローラーと、
を備えたプロジェクター。
【請求項２２】
請求項２１記載のプロジェクターであって、
表示コントローラーをさらに備え、
前記記憶部は、前記照明投写、前記画像投写およびＵＩ画像投写のいずれかを示す情報を記憶し、
前記光拡散コントローラーは、前記記憶部に前記ＵＩ画像投写を示す情報が記憶されている場合には、前記光拡散装置が前記光を実質的に拡散しないように前記光拡散装置を制御し、
前記表示コントローラーは、前記記憶部に前記ＵＩ画像投写を示す情報が記憶されている場合には、前記照明投写とするか前記画像投写とするかを選択させるＵＩ画像を前記空間光変調装置に書き込む、
プロジェクター。
【手続補正２】
【補正対象書類名】明細書
【補正対象項目名】００２５
【補正方法】変更
【補正の内容】
【００２５】
［適用例２０］本発明のある態様によれば、プロジェクターの制御方法は、受電端子と、前記受電端子に供給される電力によって点灯する光源と、書き込まれた画像に応じて前記光源からの光を変調する空間光変調装置と、前記空間光変調装置に入射する前記光または前記空間光変調装置から射出される前記光の拡散度を調節する光拡散装置と、を備えたプロジェクターの制御方法であって、前記光源を点灯し始めるステップと、前記光源を点灯し始める場合に前記光拡散装置が前記光を実質的に拡散しないように前記光拡散装置を制御するステップと、前記光源を点灯し始める場合に照明投写とするか画像投写とするかを選択させるＵＩ画像を前記空間光変調装置に書込むステップと、前記照明投写が選択された場合には前記光を拡散するように前記光拡散装置を制御するステップと、前記画像投写が選択された場合には前記光を実質的に拡散しないように前記光拡散装置を制御するステップと、を包含している。
【手続補正３】
【補正対象書類名】明細書
【補正対象項目名】００６６
【補正方法】変更
【補正の内容】
【００６６】
図５に示すとおり、検出部１０による上記検出（電力の供給開始の検出：Ｓ２）があった場合に、光源コントローラー２がＲＧＢ光源１Ｒ，１Ｇ，１Ｂを点灯し始める。このとき光源コントローラー２は、後述する「通常モード」でＲＧＢ光源１Ｒ，１Ｇ，１Ｂを駆動する（ＳＣ１）。